(57)【要約】【課題】過酸化水素ガスがフィルターに吸着されず、また該ガスを除染室内に均一に供給することができる除染システムを提供する。【解決手段】過酸化水素ガス供給管２１の端部を、ＨＥＰＡフィルター５と多孔性隔壁板６との間に形成された挟間隙１７に配設した。そして、各過酸化水素ガス供給管２１から過酸化水素ガスを吐出し、挟間隙１７に一時的に過酸化水素ガスが滞留させてから、徐々にクリーンルーム２内に過酸化水素ガスが流出するようにした。【選択図】図４
2008113727.tif 000002
【特許請求の範囲】
【請求項１】
除染対象となる除染室内にフィルターが配設されていると共に、該フィルターを通過する一方向流を当該除染室内に形成し、かつ該除染室内に除染ガスを供給して当該除染室内を除染する除染システムにおいて、
フィルターに空気を送風する空気送風手段と、
除染室内に除染ガスを供給する除染ガス供給手段とを備え、
前記フィルターの下流側に、空気の流通を可能とする貫通孔を面方向に複数具備してなる多孔性隔壁板を当該フィルターと離間させて配設し、フィルターと多孔性隔壁板との間隙にガス滞留空隙を形成すると共に、
除染ガス供給手段からの除染ガスを、該ガス滞留空隙に供給するようにしたことを特徴とする除染システム。
【請求項２】
空気送風手段を、空気を送風する空気送風状態、又は送風しない空気非送風状態とに間欠的に状態変換させると共に、除染ガス供給手段に、少なくとも空気送風手段が空気非送風状態でガス滞留空隙に除染ガスを供給させるようにする制御内容を具備する除染管理制御手段を備えたことを特徴とする請求項１記載の除染システム。
【請求項３】
除染ガスは、除染室内で凝縮するものである構成にあって、
除染室内に、除染室内で除染ガスが凝縮したことにより形成された凝縮膜に係る凝縮量の変化を検出する凝縮センサーを備えたことを特徴とする請求項１又は請求項２記載の除染システム。
【発明の詳細な説明】
【技術分野】
【０００１】
本発明は、除染室（例えば、クリーンルーム、アイソレーター又はチャンバー等）内に過酸化水素ガス等の除染ガスを供給し、当該除染室内を除染する除染システムに関する。
【背景技術】
【０００２】
従来、除染室（例えば、クリーンルーム、アイソレーター又はチャンバー等）内に過酸化水素ガス等の除染ガスを供給し、該除染室内、又は該除染室に内在するワークを除染する構成は、既に良く知られている（例えば、特許文献１参照。）。
【０００３】
かかる従来構成を図５に従ってさらに説明する。
クリーンルームａには、ワークＷが配置されるワーク配置空間ｂが設けられている。また、このワーク配置空間ｂの天井部には、ＨＥＰＡフィルターｃが架設されている。さらに、ワーク配置空間ｂの側部には、上下方向の流通路ｄが形成されている。この流通路ｄの下端は、連通口ｅを介してワーク配置空間ｂと連通していると共に、これに対し上端は、ＨＥＰＡフィルターｃの上部空間と連通している。これによりクリーンルームａ内に、周回路が形成されている。
【０００４】
さらに、ＨＥＰＡフィルターｃの上部空間には、送風機ｆが配置されると共に、該送風機ｆの近接位置に、過酸化水素ガスをクリーンルームａ内に供給する過酸化水素ガス供給管ｇが配設されている。かかる構成にあって、送風機ｆが駆動すると、送風機ｆ周辺の空気（過酸化水素ガス供給管ｇから排出された過酸化水素ガスを含む）が、まずＨＥＰＡフィルターｃに向けて送風され、当該ＨＥＰＡフィルタｃを下方へ向けて通過する。そして、ＨＥＰＡフィルタｃの直下にあるワーク配置空間ｂに拡散状に放出される。そしてさらにこの空気は、ワーク配置空間ｂから連通口ｅを介して流通路ｄに進入し、当該流通路ｄを上昇してＨＥＰＡフィルターｃの上部空間に到達する。このようにして、クリーンルームａ内には、周回路を循環する一方向流が形成されている。なお、既設のクリーンルームａ内に広く均一に過酸化水素ガスを拡散させるために、過酸化水素ガス供給管ｇはクリーンルームａ内の最上部に配置されている。
【０００５】
【特許文献１】特表２００３−５２７２１１号公報
【発明の開示】
【発明が解決しようとする課題】
【０００６】
しかしながら、上記の従来構成にあっては、過酸化水素ガス供給管ｇから排出された過酸化水素ガスが、その直下にあるＨＥＰＡフィルターｃを通過した際に当該ＨＥＰＡフィルターｃに吸着されてしまい、過酸化水素ガスの投入量に比してワーク配置空間ｂでの除染効果が減少してしまうという問題があった。また、このような吸着が原因でＨＥＰＡフィルターｃの交換回数も増加してしまい、コスト高となることがあった。また、単に過酸化水素ガス供給管ｇをＨＥＰＡフィルターｃの直下に配設した場合は、過酸化水素ガスの吸着は回避できるものの、過酸化水素ガスの拡散効果が低下してしまい、当該過酸化水素ガス供給管ｇから排出された過酸化水素ガスがクリーンルームａ内に均等に行き渡り難いという問題が生じてしまう。
【０００７】
さらに、送風機ｆの送風機能には限界があるため、送風機ｆの仕様又は配設位置によっても、過酸化水素ガスが特定の部分に片寄ってしまってワーク配置空間ｂに均一にガスが行き渡らず、除染効果にムラが生じて当該クリーンルームａ内でコールドスポットが発生してしまう場合があった。なお、送風機ｆを多数配置したり、特殊な送風機を新たに導入しようとすると、設備コストが高騰する問題が生じてしまう。
【０００８】
そこで本発明は、上記問題を解決することができる除染システムを提供することを目的とする。
【課題を解決するための手段】
【０００９】
本発明は、除染対象となる除染室内にフィルターが配設されていると共に、該フィルターを通過する一方向流を当該除染室内に形成し、かつ該除染室内に除染ガスを供給して当該除染室内を除染する除染システムにおいて、フィルターに空気を送風する空気送風手段と、除染室内に除染ガスを供給する除染ガス供給手段とを備え、前記フィルターの下流側に、空気の流通を可能とする貫通孔を面方向に複数具備してなる多孔性隔壁板を当該フィルターと離間させて配設し、フィルターと多孔性隔壁板との間隙にガス滞留空隙を形成すると共に、除染ガス供給手段からの除染ガスを、該ガス滞留空隙に供給するようにしたことを特徴とする除染システムである。
【００１０】
かかる構成にあって、除染ガスがガス滞留空隙に供給されると、当該ガス滞留空隙はフィルターと多孔性隔壁板とによって挟まれた空間であり、供給された除染ガスの拡散しようとする流動圧に対して背圧が作用するため、ガス滞留空隙には一時的に除染ガスが停滞してガスが滞留することとなる。すなわち、除染室内へ供給された除染ガスが、供給直後に分散してしまうことが抑制される。そして、ガス滞留空隙に滞留した除染ガスは、多孔性隔壁板の各貫通孔を介して徐々に除染室内に拡散されることとなる。すなわち、多孔性隔壁板の板面全域からほぼ均等に除染ガスが流出することとなる。これにより除染ガスは、除染室内の広い範囲にムラなく行き渡ることとなる。なお、除染ガスは、フィルターの下流側に供給されるため、供給直後に除染ガスがフィルターに吸着してしまうことがない。なお、上記構成にあっては、多孔性隔壁板に貫通孔が設けられているため、上述の背圧作用により前記一方向流の流動圧は減退するものの、一方向流の流動自体は妨げられることがない。ここで、除染には、化学Ｔ期除染、無菌、殺菌、滅菌等が含まれる。
【００１１】
また、空気送風手段を、空気を送風する空気送風状態、又は送風しない空気非送風状態とに間欠的に状態変換させると共に、除染ガス供給手段に、少なくとも空気送風手段が空気非送風状態でガス滞留空隙に除染ガスを供給させるようにする制御内容を具備する除染管理制御手段を備えた構成が提案される。
【００１２】
かかる構成にあって、空気送風状態では、除染室内における一方向流の流速が増加するためフィルターを通過する空気の流動圧が増加する。一方、空気非送風状態ではフィルターを通過する空気の流動圧が減退するため、ガス滞留空隙には空気（除染ガスを含む）が滞留しやすい状態となる。そして、かかる空気非送風状態で当該ガス滞留空隙に除染ガスが供給されると、効率良く短時間で当該空隙は除染ガスで充足されることとなる。そしてさらに、かかる充足状態で空気送風手段が空気送風状態に変換されて空気を送風開始すると、当該ガス滞留空隙に上流から下流に向けて流動する気流が発生するため、ガス滞留空隙に滞留していた除染ガスが多孔性隔壁板の貫通孔から一挙に流出することとなる。これにより、除染ガスは、除染室内に広い範囲でムラなく効果的に行き渡ることとなる。
【００１３】
また、除染ガスは、除染室内で凝縮するものである構成にあって、除染室内に、除染室内で除染ガスが凝縮したことにより形成された凝縮膜に係る凝縮量の変化を検出する凝縮センサーを備えた構成が提案される。
【００１４】
ここで、多孔性隔壁板を設けてガス滞留空隙を形成することにより、除染ガスが除染室内に均一に供給されることとなるため、除染室内におけるコールドスポットの発生が抑制される。これに伴い、除染室内における除染ガスの凝縮形成についてもムラがなくなり、除染室内の全域でほぼ一様の凝縮態様（例えば、ほぼ同程度の凝縮開始タイミング、凝縮量、凝縮層の膜厚）が形成される。このため、上記のように凝縮センサーを備えた構成にあっては、凝縮センサーによって信頼度の高い測定結果が得られ、除染室内の除染状況を凝縮量に基づいて正確に把握することが可能となる。
【発明の効果】
【００１５】
本発明に係る除染システムは、多孔性隔壁板をフィルターと離間させて配設してガス滞留空隙を形成すると共に、除染ガスを、該ガス滞留空隙に供給するようにしたため、ガス滞留空隙に一時的に除染ガスを滞留させることができ、除染室内の広い範囲にムラなく行き渡らせることが可能となる効果がある。また、除染ガスはフィルターの下流側で供給されるため、供給直後に除染ガスがフィルターに吸着してしまうことがないという効果もある。すなわち、本除染システムは、除染効率を向上させることができ、またフィルターの交換回数を減少させて保守管理コストを低減できる。
【００１６】
また、少なくとも空気送風手段が空気非送風状態で、ガス滞留空隙に除染ガスを供給させる構成とした場合は、効率良く短時間で除染ガスの滞留状態を形成することができる効果があると共に、空気送風手段が空気送風状態に変換されることにより、滞留した除染ガスに対して効果的に除染室内に広い範囲でムラなく除染ガスを一挙に行き渡らせることが可能となる効果がある。
【００１７】
また、除染室内に凝縮センサーを備えた構成とした場合は、除染室内でほぼ一様の凝縮態様が形成されるため、信頼度の高い凝縮量に関する測定結果が得られ、除染室内の除染状況を凝縮量に基づき正確に把握することが可能となる利点がある。
【発明を実施するための最良の形態】
【００１８】
本発明に係る除染システム１の実施例を添付図面に従って説明する。
除染システム１は、図１に示されるように、クリーンルーム２を備え、該クリーンルーム２内を過酸化水素ガス（除染ガス）により除染するものである。なお、前記クリーンルーム２により、本発明に係る除染室が構成される。
【００１９】
また、前記クリーンルーム２の外には、過酸化水素ガス発生装置１０が配置されている。この過酸化水水素ガス発生装置１０は、過酸化水素水タンク２６、過酸化水素水供給ポンプ２７、蒸発器２８、及び送風機２９により構成されている。そして、過酸化水素水供給ポンプ２７が駆動することにより、過酸化水素水タンク２６内の過酸化水素水が加熱された蒸発器２８に一定の割合で滴下され、過酸化水素ガスが生成される。そして、この過酸化水素ガスは送風機２９で送風されて、過酸化水素ガス供給管２１を介してクリーンルーム２へ導入される。なお、本実施例では、過酸化水素ガス供給管２１は枝分かれ状となっており、複数の供給箇所から過酸化水素ガスをクリーンルーム２内に供給可能としている。
【００２０】
また、過酸化水素ガス供給管２１の端部のうち、クリーンルーム２寄りの端部には、過酸化水素ガスの流量を調整する流量調整バルブ４１が接続されている。
【００２１】
さらに、図１に示されるように、過酸化水素ガス供給管２１には、送風機１８とフィルター１９とを備えた循環用送風装置１１が配設されている。この循環用送風装置１１は、循環用ガス管２３を介してクリーンルーム２内の空気を一旦外に取り出し、再度クリーンルーム２内に過酸化水素ガス供給管２１を介して投入する機能を有している。また、循環用ガス管２３には、管内の流量を調整する流量調整バルブ４３が接続されている。ここで、前記の過酸化水素ガス発生装置１０、及び循環用送風装置１１は、公知品が好適に採用される。
【００２２】
なお、過酸化水素ガスをクリーンルーム２内に供給する過酸化水素ガス発生装置１０、循環用送風装置１１及び過酸化水素ガス供給管２１により、本発明に係る除染ガス供給手段が構成される。
【００２３】
また、前記クリーンルーム２の外には、排気装置１３が配置されている。この排気装置１３は、送風機３１と触媒３２とを具備し、クリーンルーム２内の空気をガス排気管２４を介して外部に排出するものである。ここで、この空気に含まれる過酸化水素ガスは、前記触媒３２によって分解されて外界に排気される。また、前記ガス排気管２４には、管内の流量を調整する流量調整バルブ４４が接続されている。なお、排気装置１３は、公知品が好適に採用される。
【００２４】
また、前記クリーンルーム２の外には、外気供給装置１４が配置されている。この外気供給装置１４は、送風機３３とフィルター３４とを具備し、外気を空気供給管２５を介してクリーンルーム２内に供給するものである。ここで、供給される外気は、前記フィルター３４により清浄化される。また、空気供給管２５には、管内の流量を調整する流量調整バルブ４２が接続されている。なお、外気供給装置１４は、公知品が好適に採用される。
【００２５】
次に、図２に従って、クリーンルーム２の内部構造について説明する。
クリーンルーム２は、ワークＷが配置されるワーク配置空間１２を備えている。さらに、このワーク配置空間１２の天井部には、多数の貫通孔７が配設されてなる多孔性隔壁板６（スクリーン）が配設されている。さらに詳述すると、この多孔性隔壁板６は、薄板形状をなし、上下に貫通する貫通孔７が面方向に多数設けられてなるものである。
【００２６】
さらに、多孔性隔壁板６の上方位置には、当該多孔性隔壁板６と所定間隔を置いてＨＥＰＡフィルター５が配設されている。なお、ＨＥＰＡフィルター５は、公知品が好適に用いられる。
【００２７】
また、ワーク配置空間１２の側部には、上下方向の流通路１６が形成されている。この流通路１６とワーク配置空間１２とは、上下方向の内部壁１５により区画されていると共に、この内部壁１５の下端に形成された連通口９を介して空気が流通可能に連通している。また、流通路１６の上端部は、ＨＥＰＡフィルター５の上部空間と連通している。このようにして、クリーンルーム２内には周回路が形成されている。
【００２８】
また、図２に示されるように、ＨＥＰＡフィルター５の直上には、外気供給装置１４に接続された空気供給管２５の端部が配設されており、この端部に形成された複数の送風口から清浄化された外気が導入される構成となっている。なお、ＨＥＰＡフィルター５に空気を送風する外気供給装置１４、及び空気供給管２５により、本発明に係る空気送風手段が構成される。
【００２９】
かかる構成にあって、外気供給装置１４又は循環用送風装置１１が駆動すると、例えばＨＥＰＡフィルター５上にある空気は、まずＨＥＰＡフィルター５を下方へ向けて通過し、さらに多孔性隔壁板６の貫通孔７を通過した後、ワーク配置空間１２に到達する。そしてさらに、ワーク配置空間１２から連通口９を介して流通路１６に進入し、当該流通路１６を上昇してＨＥＰＡフィルター５の上面に到達する。このように、クリーンルーム２内は、周回路を循環するようにして一方向流が形成されるように設定されている。
【００３０】
また、流通路１６には、排気装置１３に接続されたガス排気管２４の端部が配設されている。かかる構成により、流通路１６内の空気が、ガス排気管２４に適宜流入可能となっている。
【００３１】
さらに、当該流通路１６には、循環用送風装置１１に接続された循環用ガス管２３の端部が配設されている。かかる構成により、流通路１６内の空気が、循環用ガス管２３内に適宜流入可能となっている。
【００３２】
次に、本発明の特徴である過酸化水素ガス供給管２１の配設位置について説明する。
図２に示されるように、前記過酸化水素ガス供給管２１の端部は、ＨＥＰＡフィルター５と多孔性隔壁板６との間に形成された挟間隙１７に配設されている。具体的には、挟間隙１７の左右両側から過酸化水素ガス供給管２１を各々接続するようにしている。そして、各過酸化水素ガス供給管２１から過酸化水素ガスが吐出されることにより、当該クリーンルーム２内に過酸化水素ガスが供給され、上述の一方向流に乗ってクリーンルーム２内に拡散され、クリーンルーム２内又はワークＷを除染することとなる。ここで、過酸化水素ガスが、その供給過程で凝縮してしまうことを防止するため、各配管には加温のために保温材やヒーターが取り付けられる構成が好適である。
【００３３】
なお、除染システム１は、図３に示されるように、中央制御装置ＣＰＵを具備した除染管理制御基板６０を備えている。この除染管理制御基板６０には、過酸化水素ガス供給管２１の流量調整バルブ４１、空気供給管２５の流量調整バルブ４２、循環用ガス管２３の流量調整バルブ４３、及びガス排気管２４の流量調整バルブ４４がそれぞれ信号受信可能に接続されている。そして、各バルブ４１〜４４の開閉を制御することにより、空気（過酸化水素ガスを含む）の供給タイミング、流速、又は流量等の流動態様を制御するようにしている。例えば、空気供給管２５の流量調整バルブ４２を開放制御することにより、外気供給装置１４をクリーンルーム２に空気を供給する空気送風状態とすることができ、閉鎖制御することにより、空気を供給しない空気非送風状態とすることができる。また、この開閉の切換えは適宜のタイミングで実行可能である。なお、この除染管理制御基板６０、及び流量調整バルブ４１，４２により、本発明に係る除染管理制御手段が構成される。
【００３４】
次に、挟間隙１７に過酸化水素ガスを供給した際のガス流動態様について再度説明する。
過酸化水素ガスが挟間隙１７に供給されると、当該挟間隙１７はＨＥＰＡフィルター５と多孔性隔壁板６とによって挟まれた空間であり、供給された過酸化水素ガスの下方へ拡散しようとする流動圧に対して背圧作用が生じるため、挟間隙１７には一時的に過酸化水素ガスが滞留することとなる。そして、挟間隙１７に滞留した過酸化水素ガスは、多孔性隔壁板６の貫通孔７から徐々にクリーンルーム２内のワーク配置空間１２に拡散されることとなり、当該多孔性隔壁板６の板面に沿って過酸化水素ガスが排出される。これにより過酸化水素ガスは、ワーク配置空間１２の広い範囲にムラなく行き渡ることとなる。なお、過酸化水素ガスは、ＨＥＰＡフィルター５の下流側に供給されるため、供給直後に過酸化水素ガスがＨＥＰＡフィルター５に吸着してしまうことがない。なお、多孔性隔壁板６の貫通孔７は、一方向流の流動方向に沿って形成されているため、外気供給装置１４の送風作用により形成されている一方向流の流動は妨げられることがない。なお、本実施例に係る挟間隙１７により、本発明に係るガス滞留空隙が構成され、このような空気（ガス）が滞留する空隙を意図的に形成したことを大きな特徴としている。
【００３５】
ところで、これまでに述べた除染ガスとしての過酸化水素ガスは、クリーンルーム２内で凝縮する性質を有するものであるところ、ワーク配置空間１２には、過酸化水素ガスの凝縮を検知する凝縮センサー５０を配置し、この凝縮センサー５０を用いてクリーンルーム２内の除染管理を行っても良い。さらに詳述すると、この凝縮センサー５０は、例えば国際公開番号ＷＯ２００３／０９５９９４で開示されているような公知の構成が好適に採用可能であり、クリーンルーム２の内壁、又はワークＷ表面に形成された凝縮膜に係る凝縮量を間接的に特定するものである。具体的には、凝縮センサー５０は、レーザ光を照射する投光装置と、それを受光する受光装置と、両装置の間に配置されたガラス板とを備え、クリーンルーム２内における過酸化水素ガスの飽和によってガラス板上に形成された凝縮膜にレーザ光を照射し、その透過出力の変化をモニタリングして当該凝縮膜に係る凝縮量の変化を測定し、間接的にクリーンルーム２内の凝縮状況を把握するものである。ここで、凝縮センサー５０を導入する構成にあっては、クリーンルーム２内で凝縮する除染ガスが採用される。
【００３６】
なお、凝縮センサー５０の他、温度センサー、湿度センサー、過酸化水素ガス濃度センサー、内圧センサー、風速センサーなどをクリーンルーム２内に設置して、除染管理精度を高めるようにしても良い。
【００３７】
次に、変形例を図４に従って説明する。
変形例に係る構成は、外気供給装置１４による外気（空気）の供給タイミングと、過酸化水水素ガス発生装置１０による過酸化水素ガスの供給タイミングとを連動させた構成である。
【００３８】
すなわち、除染管理制御基板６０により、空気供給管２５の流量調整バルブ４２を閉鎖制御して外気供給装置１４を上述の空気非送風状態とした場合に、過酸化水素ガス供給管２１の流量調整バルブ４１を開放制御して過酸化水素ガスを挟間隙１７に吐出するものである。そして、所定時間経過後に、当該空気供給管２５の流量調整バルブ４２を開放制御して、挟間隙１７に、上流から下流に流れる気流を生成するようにする。
【００３９】
かかる構成にあって、空気非送風状態では、図４ａに示されるように、ＨＥＰＡフィルター５を通過する空気の流動圧が減退するため、挟間隙１７には過酸化水素ガスが滞留しやすい状態となる。そして、所定時間だけかかる状態を維持すると、図４ｂに示されるように、効率良く短時間で当該挟間隙１７に過酸化水素ガスが充足されることとなる。そしてさらに、図４ｃに示されるように、かかる状態で空気送風状態に変換してＨＥＰＡフィルター５に空気を送風すると、当該挟間隙１７を空気が急激に下方へ流動することとなって、挟間隙１７に滞留していた過酸化水素ガスが多孔性隔壁板６の貫通孔７から一挙に流出することとなる。これにより、過酸化水素ガスは、クリーンルーム２内のワーク配置空間１２に広い範囲でムラなく効果的に行き渡ることとなる。そして、空気送風状態と空気非送風状態とを所定時間間隔で間欠的に実行すると共に、上記タイミングで過酸化水素ガスを供給することにより、効率的なクリーンルーム２の除染が可能となる。
【００４０】
なお、上記変形例にあっては、空気送風状態で過酸化水素ガスを供給するようにしても良いし、供給しないようにしても良い。
【００４１】
なお、これまでに述べた構成にあって、過酸化水素ガス供給管２１の先端に、ガス噴出用のノズルを装着した構成としても良い。また、挟間隙１７に過酸化水素ガス供給管２１を配設する数は、適宜変更可能である。
【００４２】
また、ＨＥＰＡフィルター５の上部空間に、公知の送風機を配置して、この送風機によってＨＥＰＡフィルター５へ向けて空気を送風するようにしても良い。
【００４３】
また、ＨＥＰＡフィルター５及び多孔性隔壁板６は、クリーンルーム２内の上部に配設する構成のほか、クリーンルーム２内に設けられた壁部に配設する構成としても良い。
【００４４】
なお、本実施例では、クリーンルーム２を例にして説明したが、除染対象となる除染室としては、様々な構成が適用可能であり、例えばアイソレーターやチャンバー等であっても良い。また、除染に際して除染ガスの凝縮現象が不要である場合は、除染ガスは、過酸化水素ガスに限定されず、オゾンや二酸化塩素等の他の構成であっても勿論良い。また、本発明に係るフィルターとしては、ＨＥＰＡフィルターに限定されず、同等の性能を有するフィルターが適宜採用されうる。また、本発明に係る多孔性隔壁板には、整流板（スクリーン）を用いても良い。
【図面の簡単な説明】
【００４５】
【図１】除染システム１の概略図である。
【図２】除染システム１のクリーンルーム２内を示す断面図である。
【図３】除染システム１に係るブロック回路図である。
【図４】挟間隙１７における過酸化水素ガスの流動態様を示す説明図である。
【図５】従来構成のクリーンルームａを示す断面図である。
【符号の説明】
【００４６】
１  除染システム
２  クリーンルーム
５  ＨＥＰＡフィルター
６  多孔性隔壁板
７  貫通孔
１０  過酸化水水素ガス発生装置（除染ガス供給手段）
１４  外気供給装置（空気送風手段）
１７  挟間隙（ガス滞留空隙）
２１  過酸化水素ガス供給管（除染ガス供給手段）
２５  空気供給管（空気送風手段）
４１  流量調整バルブ（除染管理制御手段）
４２  流量調整バルブ（除染管理制御手段）
５０  凝縮センサー
６０  除染管理制御基板（除染管理制御手段）
【図１】
2008113727.tif 000003
【図２】
2008113727.tif 000004
【図３】
2008113727.tif 000005
【図４】
2008113727.tif 000006
【図５】
2008113727.tif 000007